(57)【特許請求の範囲】
【請求項１】
磁気テープを巻装した単一のリールがカートリッジケース内に回転可能に収容され、前記磁気テープの先端にリーダピンが固着され、前記カートリッジケースに形成された前記磁気テープを引き出すための開口部の内方において前記リーダピンが前記カートリッジケースに着脱可能に保持されてなる磁気テープカートリッジにおいて、
前記カートリッジケースに、前記開口部を開閉するドアが設けられ、該ドアの閉動作に伴い前記リーダピンの上下端部のうちの少なくとも一方に弾性的に当接して該リーダピンを保持する弾性体が、前記ドアに一体成形により形成されていることを特徴とする磁気テープカートリッジ。
【発明の詳細な説明】
【０００１】
【発明の属する技術分野】
本発明は、磁気テープカートリッジに関し、特にカートリッジケース内に磁気テープを巻装した単一のリールが回転可能に収容され、この磁気テープの先端に該磁気テープを引き出すためのリーダピンが固着されてなる磁気テープカートリッジにおいて、上記リーダピンの支持構造に関するものである。これらの磁気テープカートリッジは主としてコンピュータメモリのバックアップとして用いられ、その記憶容量も１０ＧＢ程度から１００ＧＢ、さらにはそれ以上のものも実用化に向けて検討が進められている。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダ部材（本発明ではリーダピン）が固着され、このリーダ部材をコンピュータ側で引き出して巻き取り又は巻き戻しを行うようにドライブ装置が構成される。そして、上記リーダ部材は、カートリッジケースに着脱可能に保持されるものであり、その保持にはバネ部材を使用するのが構造上の簡素化等の点で有利である。
【０００４】
【発明が解決しようとする課題】
しかしながら、リーダピンを着脱可能に保持するバネ部材をカートリッジケースに取り付ける場合には、一般にプラスチック製のケースの一部を溶融させて固定することが行われているが、このようなバネ部材の固定は組付け工程が煩雑で、生産性の向上の妨げとなっている。
【０００５】
本発明は上記点に鑑みなされたもので、上記バネ部材をカートリッジケースに取り付けることなしにリーダピンをカートリッジケースに着脱可能に保持し得る磁気テープカートリッジを提供することを目的とするものである。
【０００６】
【課題を解決するための手段】
本発明は、磁気テープを巻装した単一のリールがカートリッジケース内に回転可能に収容され、上記磁気テープの先端にリーダピンが固着され、上記カートリッジケースに形成された上記磁気テープを引き出すための開口部の内方において上記リーダピンが上記カートリッジケースに着脱可能に保持されてなる磁気テープカートリッジにおいて、
上記カートリッジケースに、上記開口部を開閉するドアが設けられ、このドアの閉動作に伴い上記リーダピンの上下端部のうちの少なくとも一方に弾性的に当接してこのリーダピンを保持する弾性体が、上記ドアに一体成形により形成されていることを特徴とするものである。
【０００７】
【発明の効果】
本発明によれば、極めて簡易な構成によって、リーダピンをカートリッジケースに着脱可能に保持することができる。また、リーダピンを保持するバネ部材がカートリッジケースには取り付けられていないから、磁気テープのたるみ等を修正するときの作業性がよい。
【０００８】
【発明の実施の形態】
以下、図面に示す実施の形態に基づいて本発明を詳細に説明する。
【０００９】
図１は本発明による磁気テープカートリッジの一実施の形態の分解斜視図である。
【００１０】
磁気テープカートリッジ１は、下リール５と上リール６とを超音波溶着により結合した単一のリール４に磁気テープ２０を巻装し、上ケース２と下ケース３とがビス等により締結されて形成されたカートリッジケース７内に、上記リール４を回動可能に収容して構成されている。
【００１１】
下リール５は、外周に磁気テープ２０が巻回される円筒状のリールハブ２３と、このリールハブ２３の下端外周から径方向に張り出したフランジ部２４とを合成樹脂により一体成型したもので、リールハブ２３の底部外面にリール４を回転駆動するマグネット式の回転駆動手段を接合させるためのリールプレート８が取り付けられる。またリールハブ２３の底部内面には、ブレーキボタン９に形成された制止用ギア９Ａと係合して不使用時のリール４の回転を拘束する制止用ギア２３Ａが刻設されている。さらにリールハブ２３には、磁気テープカートリッジ１を使用する外部記憶装置等の記録再生装置に設けられたドライブ解除スピンドルが挿通されてブレーキボタン９を上方へ移動させるための開口２３Ｂが形成されている。
【００１２】
ブレーキボタン９は、リールハブ２３と対向する側に上述した制止用ギア９Ａが形成されており、それとは反対側に上ケース２に形成されたブレーキガイド突起が嵌合される嵌合溝９Ｂが形成されている。そして、ブレーキボタン９はコイルバネ１０により図中下方に付勢された状態でリールハブ２３内部に装着されており、ブレーキボタン９とリールハブ２３との制止用ギア９Ａ，２３Ａが噛み合って不使用時におけるリール４の回転が防止されるようになっている。一方、カートリッジ使用時は、磁気テープ装置のドライブ解除スピンドルがブレーキボタン９を押圧すると、ブレーキボタン９がコイルバネ１０の付勢力に抗して図の上方へ移動し、これにより制止用ギア９Ａ，２３Ａの係合が解除され、リール４が回転自在とされる。
【００１３】
カートリッジケース７の一側壁には、磁気テープ２０を引き出すための開口部２６が形成されている。開口部２６にはカートリッジケース７の側壁に平行な矢印Ａ方向に移動可能なスライドドア２７が取り付けられている。スライドドア２７は図示しないバネにより、開口部２６を閉じる方向に付勢されている。
【００１４】
また、磁気テープカートリッジ１はその不使用時に磁気テープ２０が完全にリール４に巻き込まれた状態で、磁気テープ２０の先端に取り付けられたリーダピン２１が開口部２６の近傍の上ケース２の下面および下ケースの上面にそれぞれ形成された凹部２８に着脱自在に係止される。
【００１５】
そして、磁気テープカートリッジ１が対応する外部記録装置等の記録再生装置にセットされると、上述したようにブレーキボタン９とリールハブ２３との制止用ギア９Ａ，２３Ａの係止が解除されてリール４が回転自在とされるとともに、マグネット式の回転駆動手段はリールプレート８を介して磁力によってリール４を非接触で回転する。これとともに、スライドドア２７が開かれてリーダピン２１がテープ走行路の所定位置に引き込まれ、磁気テープ２０へのデータの読み書きが可能となる。
【００１６】
図２〜図４はリーダピン２１の保持構造を示す図で、図２はスライドドア２７が開かれている状態を示す断面平面図、図３は図２の III−III 線に沿った断面図、図４はスライドドア２７が開かれている状態を示す断面平面図である。
【００１７】
リーダピン２１は、図３に示すように、磁気テープ２０の先端部が固着される中央軸部２１ａの両側に記録再生装置側から係合保持される細軸部２１ｂ，２１ｂが形成され、その両端部に、リーダピン２１をカートリッジケース７に係合保持するためのフランジ２１ｃ、２１ｃが形成されている。各フランジ２１ｃは、上述のように、開口部２６近傍の上ケース２の下面および下ケース３の上面にそれぞれ形成された凹部２８にそれぞれ挿入係止される。
【００１８】
上記スライドドア２７の裏面２７ａの上下縁部の所定位置には、カートリッジケース７の内方に突出する上下一対の弾性片３０，３０がドア２７と一体成形により形成されている。そしてこれら弾性片３０，３０は、図４から明らかなように、ドア２７の閉動作に伴ってリーダピン２１のフランジ２１ｃ、２１ｃにそれぞれ弾性的に当接して、フランジ２１ｃ、２１ｃを凹部２８の奥面２８ａに押圧し、これによって、リーダピン２１をカートリッジケース７に保持している。
【００１９】
なお、スライドドア２７が図２および図３に示すように開いているときに、リーダピン２１が倒れないように、カートリッジケース７とリーダピン２１の上下端面との間のクリアランスが設定されている。
【００２０】
また、図２〜図４に示す実施の形態では、リーダピン２１の上下フランジ２１ｃ、２１ｃをそれぞれ支持すべく上下一対の弾性片３０，３０がスライドドア２７に突設されているが、上下フランジ２１ｃ、２１ｃの少なくとも一方を支持すべくドア２７の内面２７ａの上縁部または下縁部の一方に弾性片３０を設けたものでもよい。
【００２１】
本実施の形態においては、リーダピン２１を保持する弾性片３０がスライドドア２７に裏面２７ａにドア２７と一体成形により突設されているから、部品点数が少なくなり、極めて簡易な構成によって、リーダピン２１をカートリッジケース７に着脱可能に保持することができる。また、リーダピン２１を保持するバネ部材等がカートリッジケース７には取り付けられていないから、磁気テープ２０のたるみ等を修正するときの作業性がよい利点がある。
【図面の簡単な説明】
【図１】本発明による磁気テープカートリッジの一実施の形態の分解斜視図
【図２】リーダピンの保持構造をスライドドアが開かれている状態で示す要部の断面平面図
【図３】図２の III−III 線に沿った断面図
【図４】リーダピンの保持構造をスライドドアが閉じられている状態で示す要部の断面平面図
【符号の説明】
１    磁気テープカートリッジ
２    上ケース
３    下ケース
４    リール
７    カートリッジケース
２０    磁気テープ
２１    リーダピン
２１ｃ    フランジ
２６    開口部
２７    スライドドア
２８    凹部
３０    弾性片
【図１】
0003731785.tif 000002
【図２】
0003731785.tif 000003
【図３】
0003731785.tif 000004
【図４】
0003731785.tif 000005